(57)【要約】【課題】  所望の方向の地理的位置に対応する対応情報を、直感的、簡単、かつ、迅速に取得可能とする。【解決手段】  所望の方向の地理的位置に存在する建築物や店舗等の情報である対応情報を取得する際に、ユーザは、当該携帯電話機を、所望の方向に「擬似的に投げる」という投擲操作を行う。この投擲操作がなされると、当該携帯電話機に加わった力の強度を、ユーザにより設定された逓倍値に基づいて逓倍処理することで投擲距離を算出する。そして、現在位置から当該携帯電話機に加わった力の方向に、上記投擲距離だけ離れた位置を所定の投擲物の落下位置とし、この落下位置となる絶対位置に対応する対応情報をメモリ内の情報データベースから検出して表示部に表示する。携帯電話機を投げる真似をするという直感的、かつ、簡単な操作で、所望の地理的位置に対応する対応情報を迅速に取得することができる。【選択図】  図１
2011059826.tif 000002
【特許請求の範囲】
【請求項１】
現在位置を検出する現在位置検出部と、
筐体に加わった力の方向、及び力の強さを検出する力検出部と、
上記力検出部で検出された上記力の強さの検出値を所望の力の強さの値に変換するための変換値を設定する変換値設定部と、
上記力検出部で検出された上記力の強さの検出値を、上記変換値設定部で設定された上記変換値に対応した値に変換処理する変換処理部と、
上記現在位置検出部で検出された上記現在位置から上記力検出部で検出された力の方向に対して、上記変換処理部で変換処理された力の強さの値に対応する距離だけ離れた地理的位置に対応する対応情報を検出する対応情報検出部と、
上記対応情報検出部で検出された上記地理的位置に対応する対応情報を出力するための出力部と
を有する携帯端末装置。
【請求項２】
上記対応情報検出部は、上記現在位置検出部で検出された上記現在位置から、上記力検出部で検出された力の方向に対して、所定の質量を有する投擲物を、上記変換処理部で変換処理された値に対応する力の強さで投擲した場合における、該投擲物の落下位置となる地理的位置に対応する対応情報を検出する
請求項１に記載の携帯端末装置。
【請求項３】
上記対応情報検出部は、各地理的位置毎の各対応情報が記憶された記憶部を備え、この記憶部から、上記地理的位置に対応する対応情報を検出する
請求項１又は請求項２に記載の携帯端末装置。
【請求項４】
所定の地理的範囲を設定するための範囲設定部を有し、
上記情報検出部は、上記地理的位置に対応する対応情報と共に、該地理的位置を中心とする、上記範囲設定部により設定された地理的範囲内の各地理的位置に対応する対応情報を、上記記憶部から検出する
請求項３に記載の携帯端末装置。
【請求項５】
上記情報検出部は、
上記現在位置検出部で検出された現在位置を示す情報、上記力検出部で検出された上記力の方向を示す情報、及び上記変換処理部による変換処理後の力の強さを示す情報を、所定のネットワーク上に設けられ、各地理的位置に対応する該各地理的位置に関する情報がそれぞれ記憶されたデータベース部を備えたサーバ装置に送信する送信部と、
上記サーバ装置が、上記送信部から送信された上記現在位置を示す情報、上記力の方向を示す情報及び上記力の強さを示す情報に基づいて上記データベース部から検出して送信する、上記現在位置から上記力の方向に対して、上記力の強さに対応する距離だけ離れた地理的位置に対応する対応情報を受信する受信部と
を有する請求項１に記載の携帯端末装置。
【請求項６】
所定の地理的範囲を設定するための範囲設定部を有し、
上記情報検出部は、上記現在位置検出部で検出された現在位置を示す情報、上記力検出部で検出された上記力の方向を示す情報、及び上記変換処理部による変換処理後の力の強さを示す情報と共に、上記範囲設定部で設定された所定の地理的範囲を示す情報を、上記送信部を介して上記サーバ装置に送信し、上記サーバ装置が上記データベース部から検出して送信する、上記送信部から送信された上記現在位置から上記力の方向に対して、上記力の強さに対応する距離だけ離れた地理的位置に対応する対応情報、及び該地理的位置を中心とする、上記範囲設定部により設定された所定の地理的範囲を示す情報で示される地理的範囲内の各地理的位置に対応する対応情報を、上記受信部を介して受信する
請求項５に記載の携帯端末装置。
【請求項７】
現在位置検出部が現在位置を検出する現在位置検出ステップと、
力検出部が、筐体に加わった力の方向、及び力の強さを検出する力検出ステップと、
変換処理部が、上記力検出ステップで検出された上記力の強さの値を、変換値設定部により設定された変換値に対応する力の強さの値に変換処理する変換ステップと、
対応情報検出部が、上記現在位置検出ステップで検出された上記現在位置から、上記力検出ステップで検出された力の方向に対して、上記変換ステップで変換処理された力の強さの値に対応する距離だけ離れた地理的位置に対応する対応情報を検出する対応情報検出ステップと、
出力部が、上記対応情報検出ステップで検出された上記地理的位置に対応する対応情報を出力する出力ステップと
を有する情報処理方法。
【請求項８】
現在位置を検出するように現在位置検出部を制御する現在位置検出制御部としてコンピュータを機能させ、
筐体に加わった力の方向、及び力の強さを検出するように力検出部を制御する力検出制御部としてコンピュータを機能させ、
コンピュータを上記力検出制御部として機能させた際に、上記力検出部で検出された上記力の強さの値を、変換値設定部により設定された変換値に対応する力の強さの値に変換処理する変換処理部としてコンピュータを機能させ、
コンピュータを上記現在位置検出制御部として機能させることで上記現在位置検出部により検出された上記現在位置から、コンピュータを上記力検出制御部として機能させることで上記力検出部により検出された力の方向に対して、コンピュータを上記変換処理部として機能させることで変換処理された力の強さの値に対応する距離だけ離れた地理的位置に対応する対応情報を検出する対応情報検出部としてコンピュータを機能させ、
コンピュータを上記対応情報検出部として機能させることで検出された上記地理的位置に対応する対応情報を出力部に出力する出力制御部としてコンピュータを機能させる
情報処理プログラム。
【発明の詳細な説明】
【技術分野】
【０００１】
本発明は、例えばＧＰＳユニット（GPS：Global Positioning System）等の現在位置検出機能を備えた、例えば携帯電話機、ＰＨＳ電話機（PHS：Personal Handyphone System）、ＰＤＡ装置（PDA：Personal Digital Assistant）、携帯ゲーム機等の携帯機器等の携帯機器に適用して好適な携帯端末装置、情報処理方法、及び情報処理プログラムに関する。
特には、ユーザが本発明が適用された携帯機器を擬似的に投げる動作を行うと（投擲操作）、この投擲操作に対応する投擲方向、及びこの投擲操作により携帯機器に加わった力の強さを検出する。この力の強さは、ユーザにより逓倍値設定部を介して設定された逓倍値に基づいて、任意に逓倍可能となっており、上記投擲方向に対して、例えばボール等の所定の質量を有する投擲物を、上記逓倍値に基づいて逓倍された力の強さで投擲した場合における、該投擲物の落下位置となる地理的位置を検出する。そして、上記携帯機器内の記憶部に各地理的位置毎に記憶されている各対応情報の中から、上記投擲物の落下位置となる地理的位置に対応する対応情報を検出して、例えば表示部等の出力部に出力することで、所望の方向及び位置に対応する対応情報を、上記「擬似的に投げる」という操作で簡単に取得可能とした携帯端末装置、情報処理方法、及び情報処理プログラムに関する。
【背景技術】
【０００２】
従来、ＧＰＳユニット（GPS：Global Positioning System）等の現在位置検出機能により取得した現在位置、方位センサにより取得した方位情報、及びユーザが入力した検索条件に基づいて、所望の方向にある周辺情報を検索して表示するナビゲーション装置が知られている。
【０００３】
また、特開２００３−５７０４９号の公開特許公報（特許文献１）には、目的地が設定されていない場合であっても、目的地を設定した場合と同様に、利用者にとって有益となることが予測される情報を提供可能としたナビゲーション装置が開示されている。
【０００４】
このナビゲーション装置の場合、位置検出器から検出した現在位置、進行方向、車速に基づき、地図データ入力器に記憶された地図データから、現在走行している道路を求め、現在走行している道路の沿線（道路を中心として１００ｍの幅の範囲）で、進行方向側を予測目的エリアとして設定し、この予測目的エリアに存在する施設を抽出して強調表示すると共に、予測目的エリア内の都市名、道路情報、交通情報を地図データに基づいて報知する。これにより、目的地が設定されていない場合でも、車両の進行方向に対応する各種情報をユーザに対して提供することができる。
【先行技術文献】
【特許文献】
【０００５】
【特許文献１】特開２００３−５７０４９号公報
【発明の概要】
【発明が解決しようとする課題】
【０００６】
しかし、ユーザが検索条件の入力を行う上記ナビゲーション装置の場合、ユーザは、検索範囲や目的施設名等の検索条件を入力しなければならず、面倒な入力操作を強いられる問題がある。また、検索条件をあいまい検索に設定した場合、上記所望の方向に存在する多数の周辺情報が表示されるため、ユーザが本当に知りたい情報を迅速に検索することが困難となる問題がある。
【０００７】
また、特許文献１に開示されているナビゲーション装置の場合、自動的に提供される情報の範囲は、「車両の進行方向に対応し、かつ、車両が進行している道路を中心とした１００ｍの幅の範囲」等のように、車両の進行方向及び車両が進行している道路に基づいて、一義的に決定された範囲の情報が提供されるようになっている。
【０００８】
このため、所望の方向の地理的位置に対応する情報を検索するには、やはり、検索範囲や目的施設名等の検索条件の入力等の面倒な入力操作を行う必要があり、また、検索条件をあいまい検索に設定した場合には、多数の情報が表示されることで、ユーザが本当に知りたい情報を迅速に検索することが困難となる問題を生ずる。
【０００９】
本発明は、上述の課題に鑑みてなされたものであり、直感的な入力操作により、簡単、かつ、迅速に所望の方向の地理的位置に対応する対応情報を取得することができるような携帯端末装置、情報処理方法、及び情報処理プログラムの提供を目的とする。
【課題を解決するための手段】
【００１０】
本発明に係る携帯端末装置は、上述の課題を解決するために、
現在位置を検出する現在位置検出部と、
筐体に加わった力の方向、及び力の強さを検出する力検出部と、
上記力検出部で検出された上記力の強さの検出値を所望の力の強さの値に変換するための変換値を設定する変換値設定部と、
上記力検出部で検出された上記力の強さの検出値を、上記変換値設定部で設定された上記変換値に対応した値に変換処理する変換処理部と、
上記現在位置検出部で検出された上記現在位置から上記力検出部で検出された力の方向に対して、上記変換処理部で変換処理された力の強さの値に対応する距離だけ離れた地理的位置に対応する対応情報を検出する対応情報検出部と、
上記対応情報検出部で検出された上記地理的位置に対応する対応情報を出力するための出力部と
を有する。
【００１１】
このような携帯端末装置は、所望の方向の地理的位置に対応する対応情報を取得する際に、当該携帯電話機が適用された機器の筐体を、上記所望の方向に「擬似的に投げる」という投擲操作を行う。この投擲操作がなされると、力検出部は、該投擲操作により筐体に加わった力の方向、及び力の強さを検出する。このうち、「力の強さ」は、変換処理部が、ユーザにより変換値設定部を介して設定された変換値に対応する力の強さの値に変換されるようになっている。ユーザは、投擲操作で筐体に加える力と、現在位置から所望の地理的位置（＝対応情報を得る地理的位置）までの距離を考慮して、この変換値の設定を行う。
【００１２】
対応情報検出部は、上記現在位置検出部で検出された上記現在位置から上記力検出部で検出された力の方向に対して、上記変換処理部で変換処理された力の強さの値に対応する距離だけ離れた地理的位置に対応する対応情報を検出する。
【００１３】
そして、出力制御部は、この対応情報検出部で検出された上記地理的位置に対応する対応情報を、例えば表示部やスピーカ部等の出力部に出力する。これにより、本発明が適用された機器の筐体を、所望の方向に所望の強さで投げる真似をするという投擲操作を行うだけで、所望の方向及び所望の力の強さに対応する地理的位置の対応情報を、直感的、簡単、かつ、迅速に取得することができる。
【発明の効果】
【００１４】
本発明は、本発明が適用された機器の筐体を「所望の方向に投げる真似をする」入力操作である投擲操作を行うことにより、検索条件の入力等の面倒な入力操作を行うことなく、直感的、簡単、かつ、迅速に所望の方向及び所望の力の強さに対応する地理的位置の対応情報を取得することができる。
【図面の簡単な説明】
【００１５】
【図１】本発明を適用した実施例となる携帯電話機のブロック図である。
【図２】実施例となる携帯電話機の投擲操作による情報取得動作の流れを示すフローチャートである。
【図３】実施例となる携帯電話機の投擲操作による情報取得形態を示す模式図である。
【図４】実施例の変形例となる携帯電話機の投擲操作による情報取得形態を説明するためのブロック図である。
【図５】実施例の変形例となる携帯電話機の投擲操作による情報取得動作の流れを示すフローチャートである。
【発明を実施するための形態】
【００１６】
本発明は、現在位置検出機能を備えた携帯電話機に適用することができる。
【００１７】
［携帯電話機の構成］
図１に、本発明を適用した実施例となる携帯電話機のブロック図を示す。この図１からわかるように、この携帯電話機は、基地局との間で音声通話、テレビ電話通話、電子メール、Ｗｅｂデータ（Web：World Wide Web）の他、後述する現在位置情報や投擲距離情報等の等の無線通信を行うアンテナ１及び通信回路２と、受話音声やユーザが取得した所望の情報（＝後述する対応情報）等の音声出力を得るためのスピーカ部３と、送話音声等を集音するためのマイクロホン部４と、操作メニュー、電子メール、画像（静止画像及び動画像）の他、後述する対応情報等を表示するための表示部５と、十字キー、決定キー、数字キー等の複数の操作キーを備えた操作部６と、発着信等をユーザに光で通知するための発光部７（LED：Light Emitting Diode:発光ダイオード）とを有している。
【００１８】
また、この携帯電話機は、所望の被写体の静止画像或いは動画像を撮像するためのカメラ部８と、当該携帯電話機の筐体を振動させて発着信等をユーザに通知するためのバイブレーションユニット９と、現在時刻をカウントするタイマ１０と、通信距離が例えば５０ｃｍ程度の非接触無線通信を行うための非接触無線通信アンテナ１１及び非接触ＩＣユニット１２と、通信距離が例えば１０ｍ程度の近距離無線通信を行うための近距離無線通信アンテナ１３及び近距離無線通信ユニット１４とを有している。
【００１９】
また、この携帯電話機は、当該携帯電話機の現在位置を検出するためのＧＰＳアンテナ１５（GPS：Global Positioning System）及びＧＰＳユニット１６と、赤外線通信を行うための赤外線通信ユニット１７と、当該携帯電話機の筐体に加わった力の方向、及び力の強度を検出する、例えば２軸（Ｘ軸方向及びＹ軸方向）、或いは３軸（Ｘ軸方向，Ｙ軸方向及びＺ軸方向）の加速度センサ等の力方向／強度検出部１８と、上記基地局を介した無線通信処理を行うためのコミュニケーションプログラムや各種アプリケーションプログラムの他、これら各アプリケーションプログラムで取り扱われる各種データ等が記憶されたメモリ１９と、当該携帯電話機全体の動作を制御する制御部２０とを有している。
【００２０】
また、この携帯電話機は、上記操作部６に設けられているキーの一つとして、投擲操作キー２１を有している。当該携帯電話機では、ユーザが所望の情報を取得する際に、この投擲操作キー２１を押圧操作しながら当該携帯電話機を投げる真似をするようになっている。制御部２０は、投擲操作キー２１が押圧操作されている間（＝投擲操作キー２１を押してから離すまでの間）に、当該携帯電話機を投げる真似をすることで筐体に加わった力の方向及び力の強さを検出する。そして、上記力の強さで所定の質量の投擲物を、上記力の方向に投擲した場合に、該投擲物の落下位置となる絶対位置を検出し、この絶対位置に存在する建築物や表示物等の情報である対応情報を取得して表示等を行うようになっている。詳しくは後述する。
【００２１】
また、メモリ１９には、上記コミュニケーションプログラムの他、現在位置から離れた位置に存在する情報取得対象物の情報を取得制御するための情報取得制御プログラムと、カメラ部８の撮像制御を行うカメラ制御プログラムが記憶されている。このカメラ制御プログラムは、撮像した静止画像や動画像のビューア機能も備えている。
【００２２】
また、メモリ１９には、電子メールの作成や送受信を制御するための電子メール管理プログラムと、ユーザのスケジュールが登録されたスケジュール帳の管理を行うためのスケジュール帳管理プログラムと、コミュニケーションネットワークやインターネット等の所定のネットワーク上に設けられたサーバ装置にアクセスして情報の送受信行うことで、Ｗｅｂページを閲覧等を行うためのＷｅｂブラウジングプログラムと、電話帳の管理を行うための電話帳管理プログラムと、音楽データの再生を行うための音楽プレーヤプログラムとが記憶されている。
【００２３】
また、メモリ１９には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽データと、カメラ制御プログラムのビューア機能に基づいて再生される静止画像データ及び動画像データと、送受信された電子メールデータと、電話及び電子メールの発着信履歴と、情報データベースとが記憶されている。
【００２４】
上記情報データベースには、地図情報と、地図上の各絶対位置毎に、該各絶対位置に存在する建築物，店舗，展示物等の情報（対応情報）とが記憶されている。この情報データベースは、予めメモリ１９に記憶させておいて用いてもよいし、図示しない当該携帯電話機の外部メモリ装着部に装着される外部メモリに記憶させておき、この外部メモリから該情報データベースを読み込んで用いてもよい。さらに、当該携帯電話機の通信事業者のネットワーク上やインターネット上のサーバ装置から、この情報データベースをダウンロードして用いてもよい。
【００２５】
［情報取得動作］
このような実施例の携帯電話機は、ユーザが所望の情報を取得する場合、投擲操作キー２１を押圧操作しながら、当該携帯電話機の筐体を投げる真似をする。制御部２０は、投擲操作キー２１が押圧操作されている間（＝投擲操作キー２１を押してから離すまでの間）に、当該携帯電話機を投げる真似をすることで筐体に加わった力の方向及び力の強さを検出する。そして、上記力の強さの値を、ユーザにより設定された変換値に対応する力の強さの値に変換処理し、当該携帯電話機の記現在位置から上記力の方向に対して、上記変換処理による力の強さの値に対応する距離だけ離れた地理的位置に対応する、例えば建築物，店舗，展示物等の情報（対応情報）を取得して表示等を行うようになっている。
【００２６】
このような情報取得動作の流れを、図２のフローチャートに示す。制御部２０は、投擲操作キー２１の押圧操作を検出したタイミングで、メモリ１９に記憶されている情報取得制御プログラムに基づいて、この図２のフローチャートに示す処理を開始する。
【００２７】
まず、ステップＳ１では、制御部２０が、この最初の投擲操作キー２１の押圧操作を検出することで、情報取得範囲及び上述の投げる真似により加えた力の逓倍値を設定するための情報取得範囲／逓倍値設定画面を表示部５に表示制御して、処理をステップＳ２に進める。
【００２８】
すなわち、この携帯電話機の場合、１回目の投擲操作キー２１の押圧操作を検出すると、制御部２０は、最初に上記情報取得範囲の設定画面を表示部５に表示制御し、この情報取得範囲の設定が終了すると、次に上記逓倍値の設定画面を表示部５に表示制御するようになっている。
【００２９】
具体的には、制御部２０は、上記情報取得範囲の設定画面として、情報取得範囲の設定の有無を選択するための選択項目、及び情報取得範囲を設定することが選択された場合における、例えば５ｍ，１０ｍ，５０ｍ，１００ｍ，５００ｍ，１ｋｍ，５ｋｍ・・・等の情報取得範囲の選択項目（或いは、ユーザが手動で所望の値を入力する情報取得範囲の入力欄でもよい。）を表示部５に表示する。
【００３０】
制御部２０は、情報取得範囲の設定の有無を選択するための選択項目により、該情報取得範囲の非設定が選択された場合には（＝情報取得範囲を設定しないことが選択された場合には）、上記投げる真似による所定の投擲物の落下位置となる絶対位置に対応する対応情報を取得するようになっている。このため、ユーザは、上記落下位置に対応する対応情報のみを取得し、この落下位置周辺の各絶対位置に対応する対応情報を取得しない場合には、情報取得範囲の非設定を選択することとなる。
【００３１】
これに対して、上記落下位置に対応する対応情報と共に、この落下位置周辺の各絶対位置に対応する対応情報も取得する場合には、ユーザは、情報取得範囲の設定の選択項目を選択すると共に、上記５ｍ，１０ｍ，５０ｍ，１００ｍ，５００ｍ，１ｋｍ，５ｋｍ・・・等の情報取得範囲を選択或いは入力することとなる。制御部２０は、この情報取得範囲の選択或いは入力がなされると、上記落下位置を中心とする半径５ｍ，半径１０ｍ，半径５０ｍ，半径１００ｍ，半径５００ｍ，半径１ｋｍ，半径５ｋｍ・・・等の情報取得範囲に対応する対応情報を取得するようになっている。
【００３２】
制御部２０は、このような情報取得範囲の設定の有無を示す情報、及び情報取得範囲を示す情報をメモリ１９に一時的に保持する。
【００３３】
ユーザは、このような情報取得範囲の設定が終了すると、操作部６の決定キーを押圧操作する。制御部２０は、この決定キーを押圧操作を検出すると、次に、上記逓倍値の設定画面として、例えば１倍，３倍，５倍，１０倍，１５倍・・・等の逓倍値の選択項目（或いは、ユーザが手動で所望の逓倍値を入力する逓倍値の入力欄でもよい。）を表示部５に表示する。
【００３４】
制御部２０は、上記投げる真似により当該携帯電話機の筐体に加えられた力を、この選択或いは入力がなされた逓倍値に基づいて逓倍処理することで、該筐体に加えられた力の強さの値を、ユーザが希望する力の強さの値に変換処理するようになっている。このため、ユーザは、例えばこれから上記投げる真似により、所定の投擲物を３ｍ投げる力を当該携帯電話機に加えようとしている場合において、情報の取得対象となる対象物が、現在位置から３ｋｍ離れた位置に存在する場合には、１０００倍の逓倍値を設定する。同様に、ユーザは、例えばこれから上記投げる真似により、所定の投擲物を２ｍ投げる力を当該携帯電話機に加えようとしている場合において、情報の取得対象となる対象物が、現在位置から６ｍ離れた位置に存在する場合には、３倍の逓倍値を設定する。同様に、ユーザは、例えばこれから上記投げる真似により、所定の投擲物を２ｍ程度投げる力を当該携帯電話機に加えようとしている場合において、情報の取得対象となる対象物が、現在位置から１０８５０ｋｍ離れた位置（例えば、東京−ニューヨーク間の距離）に存在する場合には、５４２５０００倍の逓倍値を設定する。
【００３５】
なお、上記投げる真似により、携帯電話機に加えた力をそのまま用いる場合には（＝携帯電話機に加えた力を逓倍しない場合には）、ユーザは「１倍」の逓倍値を設定することとなる。また、制御部２０は、このような設定された逓倍値を示す情報をメモリ１９に一時的に保持する。
【００３６】
ユーザは、このような逓倍値の設定が終了すると、操作部６の決定キーを押圧操作する。制御部２０は、この決定キーを押圧操作を検出すると、図２のフローチャートのステップＳ２において、情報取得範囲及び逓倍値の設定が終了したものと判別し、処理をステップＳ３に進める。
【００３７】
ステップＳ３では、制御部２０が、投擲操作キー２１の押圧操作状況を監視することで、該投擲操作キー２１の２回目の押圧操作（再押圧操作）がなされたか否かを判別する。そして、この投擲操作キー２１の２回目の押圧操作を検出すると、ステップＳ４において、ＧＰＳユニット１６を起動制御して、当該ＧＰＳユニット１６で検出された現在位置情報（緯度情報及び経度情報）を取得すると共に、ステップＳ５において、力方向／強度検出部１８を起動制御して、処理をステップＳ６に進める。そして、ステップＳ６において、押圧操作されている投擲操作キー２１を離す操作（リリース操作）がなされたか否かを判別する。
【００３８】
すなわち、この携帯電話機の場合、ユーザは、上記情報取得範囲及び逓倍値の設定を完了すると、投擲操作キー２１を押圧操作した状態で、当該携帯電話機を投げる真似をし、投げ終わった際に、押圧操作している投擲操作キー２１を離す操作（リリース操作）を行うようになっている。換言すれば、ユーザは、上記２回目の投擲操作キー２１の押圧操作を行い、この投擲操作キー２１を離すまでの間に、当該携帯電話機を投げる真似をするようになっている（投擲操作）。
【００３９】
このため、制御部２０は、ステップＳ６において、投擲操作キー２１のリリース操作を検出すると、ステップＳ７において、力方向／強度検出部１８からの検出出力を取り込むことで、ユーザが行った上記投げる真似に対応する当該携帯電話機の投擲方向、及びユーザが上記投げる真似を行うことで当該携帯電話機に加わった力の強度を検出して、処理をステップＳ８に進める。
【００４０】
ステップＳ８では、制御部２０が、上記ステップＳ７で検出した力の強度を、ユーザにより設定され、メモリ１９に一時的に保持されている上記逓倍値に基づいて逓倍処理すると共に、例えば１３６グラムの野球ボール等の所定の質量の投擲物を、上記逓倍処理した力の強度で投擲した場合における、該野球ボールの投擲距離（＝飛距離）を算出して、ステップＳ９に処理を進める。
【００４１】
換言すると、制御部２０は、このステップＳ８において、上記ステップＳ７で検出した力の強度の値を、ユーザにより設定され、メモリ１９に一時的に保持されている上記逓倍値に対応する力の強さの値に変換処理すると共に、例えば１３６グラムの野球ボール等の所定の質量の投擲物を、上記変換処理した値に対応する力の強度で投擲した場合における、該野球ボールの投擲距離（＝飛距離）を算出して、ステップＳ９に処理を進める。
【００４２】
なお、この例では、投擲物の質量は１３６グラムであることとしたが、この投擲物の質量は任意であり、携帯電話機の実際の質量を用いてもよいし、サッカーボールの質量等を用いてもよい。
【００４３】
次に、ステップＳ９では、制御部２０が、上記ステップＳ７で検出した力の方向（＝ユーザが投げる真似をしたことによる擬似的な投擲物の投擲方向）に対して、現在位置から上記ステップＳ８で算出した投擲距離だけ離れた位置を上記野球ボールの落下位置とし、この落下位置に対応する絶対位置を、メモリ１９内の情報データベースに記憶されている地図情報から検出して、ステップＳ１０に処理を進める。
【００４４】
ステップＳ１０では、制御部２０が、メモリ１９に一時的に保持されている情報取得範囲の設定の有無を示す情報を参照することで、ユーザにより上述の情報取得範囲の設定がなされているか否かを判別し、該情報取得範囲の設定がなされていないものと判別した場合には、処理をステップＳ１１に進め、該情報取得範囲の設定がなされているものと判別した場合には、処理をステップＳ１２に進める。
【００４５】
ユーザにより上述の情報取得範囲の設定がなされていないものと判別することで処理をステップＳ１１に進めると、制御部２０は、ステップＳ９で地図情報から検出した上記野球ボールの落下位置となる絶対位置に存在する建築物，店舗，展示物等の情報（対応情報）を、メモリ１９内の情報データベースから検出する。
【００４６】
すなわち、上記情報データベースには、各絶対位置と、該各絶対位置に対応する上記対応情報をそれぞれ関連付けされて記憶されている。このため、制御部２０は、上記野球ボールの落下位置となる絶対位置を検出すると、情報データベースを参照することで、この絶対位置に関連付けされて記憶されている対応情報を該情報データベースから読み出す。そして、制御部２０は、この対応情報を表示部５に表示制御して、この図２のフローチャートに示す全処理を終了する。
【００４７】
これに対して、上記ステップＳ１０において、ユーザにより上述の情報取得範囲の設定がなされているものと判別することで処理をステップＳ１２に進めると、制御部２０は、ステップＳ９で地図情報から検出した上記野球ボールの落下位置となる絶対位置に存在する建築物，店舗，展示物等の情報（対応情報）を、メモリ１９内の情報データベースから検出すると共に、この野球ボールの落下位置となる絶対位置を中心とする、メモリ１９に一時的に保持しているユーザにより設定された情報取得範囲内の各絶対位置に対応する各対応情報を表示部５に表示制御して、この図２のフローチャートに示す全処理を終了する。
【００４８】
すなわち、情報取得範囲の設定時に、ユーザが設定する上記５ｍ，１０ｍ，５０ｍ，１００ｍ，５００ｍ，１ｋｍ，５ｋｍ・・・等の値は、上記野球ボールの落下位置となる絶対位置を中心とする円の半径を示す値となっている。このため、制御部２０は、情報取得範囲の値として例えば１００ｍの値が設定されている場合には、上記野球ボールの落下位置となる絶対位置を中心とする半径１００ｍの円の地理的範囲内の各絶対位置に対応する各対応情報を、上記情報データベースから読み出して表示部５に表示制御する。
【００４９】
このような当該実施例の携帯電話機の情報取得形態を模式化した図が、図３である。この図３からわかるように、ユーザが当該携帯電話機を投げる真似をすると、制御部２０は、この投げる真似に対応する投擲方向、及び投擲距離を検出し、この投擲方向及び投擲距離に対応する落下位置の絶対位置を検出する。そして、この絶対位置に関連付けされている上記対応情報を上記データベースから読み出して表示部５に表示する。
【００５０】
なお、上述の例は、上記対応情報がテキスト情報や画像情報等の表示情報である場合の例であり、この場合は、上述のように表示部５を介してこれらを表示するが、対応情報が音声情報の場合は、制御部２０は、スピーカ部３を介して、この対応情報の音声情報を出力制御する。
【００５１】
［実施例の効果］
以上の説明から明らかなように、この実施例の携帯電話機は、所望の方向の地理的位置に対応する対応情報を取得する際に、当該携帯電話機を、上記所望の方向に「擬似的に投げる」という投擲操作を行う。この投擲操作がなされると、力方向／強度検出部１８は、該投擲操作により当該携帯電話機の筐体に加わった力の方向、及び力の強度を検出する。制御部２０は、力方向／強度検出部１８で検出された力の強度の値を、ユーザにより設定された逓倍値に基づいて逓倍処理することで（＝ユーザにより設定された逓倍値に対応する力の強度の値に変換処理することで）、ユーザの投擲操作に対応する所定の投擲物の投擲距離を算出する。そして、現在位置から上記投擲方向に対して、上記投擲距離だけ離れた位置を上記投擲物の落下位置とし、「この落下位置となる絶対位置に対応する対応情報」、或いは「この落下位置となる絶対位置に対応する対応情報、及びユーザに設定された半径となる上記落下位置を中心とする円の情報取得範囲内の各絶対位置に対応する対応情報」をメモリ１９内の情報データベースから検出して、表示部５やスピーカ部３等の出力部に出力制御する。
【００５２】
これにより、当該携帯電話機を、所望の方向に所望の強さで投げる真似をするという投擲操作を行うだけで、検索条件の入力等の面倒な入力操作を行うことなく、所望の方向及び所望の力の強さの地理的位置に対応する対応情報を、直感的、簡単、かつ、迅速に取得することができる。
【００５３】
一例ではあるが、例えば所定の質量の投擲物を１ｍ程度投擲する投擲操作を行う場合において、現在位置から所望の地理的位置までの距離が１０ｋｍであった場合、ユーザは、「１００００」の逓倍値を設定して、上記所望の地理的位置に向かって当該携帯電話機を投げる真似をするだけで、該所望の地理的位置に存在する建築物や店舗等の対応情報を表示部５に表示等させることができる。
【００５４】
同様に、例えば現在位置が東京のユーザが、１０８５０ｋｍ離れているアメリカ合衆国のニューヨーク州の情報を得ようとする場合において、上記投擲物を２ｍ程度投擲する投擲操作を行う場合、ユーザは、「５４２５０００」の逓倍値を設定して、当該携帯電話機をニューヨーク州の方向に向かって投げる真似をする。これにより、制御部２０は、上記投げる真似により当該携帯電話機に加わった力の強度を５４２５０００倍した１０８５０ｋｍの投擲距離を算出し、この投擲距離と上記投擲方向に基づいて、投擲物の落下位置としてニューヨーク州内の絶対位置を検出し、このニューヨーク州内の絶対位置に対応する対応情報を情報データベースから検出して表示部５に表示等を行う。
【００５５】
従って、当該携帯電話機をニューヨーク州の方向に向かって投げる真似をするだけで、上記投擲距離に相当するニューヨーク州内の絶対位置に対応する対応情報や、該絶対位置を中心とする上記情報取得範囲内の各絶対位置に対応する対応情報を得ることができる。
【００５６】
また、上記投げる真似により当該携帯電話機に加える力の強度を逓倍設定できるようになっているため、少ない力で遠隔地の絶対位置に対応する対応情報に簡単に取得可能とすることができる。
【００５７】
また、情報取得範囲の設定も可能となっているため、上記投擲物の落下位置となる絶対位置に対応する対応情報のみならず、該絶対位置周辺の対応情報も取得可能とすることができる。
【００５８】
［変形例］
次に、当該実施例の変形例の説明をする。上述の実施例の説明では、地図情報や各絶対位置の対応情報を記憶した情報データベースを、当該携帯電話機のメモリ１９内に保持することとしたが、この変形例の携帯電話機は、所定のネットワーク上のサーバ装置で保持された情報データベースから上記対応情報を取得するようにしたものである。
【００５９】
この変形例の携帯電話機の場合、図４に示すように当該携帯電話機の無線事業者のネットワークやインターネット等の所定のネットワーク３０上に設けられた情報提供サーバ装置３２の間で、該ネットワーク３０上に設けられた当該携帯電話機の基地局３１を介して通信を行うことで、上述の対応情報の取得を行うようになっている。情報提供サーバ装置３２は、情報データベース３３を有しており、この情報データベース３３内に、上述の地図情報や、各絶対位置に関連付けされた対応情報を記憶している。
【００６０】
図５のフローチャートは、このような変形例となる携帯電話機の情報取得動作の流れを示している。この図５のフローチャートにおいて、ステップＳ１〜ステップＳ８までの各処理は、図２のフローチャートのステップＳ１〜ステップＳ８までの各処理と同じ処理となっている。このため、図５のフローチャートのステップＳ１〜ステップＳ８までの各処理の説明は、上述の図２のフローチャートのステップＳ１〜ステップＳ８までの各処理の説明を参照されたい。
【００６１】
次に、この図５のフローチャートのステップＳ８において、ユーザが投げる真似をすることで当該携帯電話機に加わった力の強度を、ユーザにより設定された逓倍値に基づいて逓倍することで上記野球ボールの投擲距離を算出すると、制御部２０は、ステップＳ２１に処理を進め、上述のようにメモリ１９に一時的に保持されている情報取得範囲の設定の有無を示す情報を参照することで、ユーザにより情報取得範囲の設定がなされているか否かを判別し、該情報取得範囲の設定がなされていないものと判別した場合には、処理をステップＳ２２に進め、該情報取得範囲の設定がなされているものと判別した場合には、処理をステップＳ２５に進める。
【００６２】
ユーザにより上述の情報取得範囲の設定がなされていないものと判別することで処理をステップＳ２２に進めると、制御部２０は、ＧＰＳユニット１６で検出された当該携帯電話機の現在位置情報、力方向／強度検出部１８で検出された、ユーザの上記投げる真似に対応する投擲方向を示す情報（＝ユーザの上記投げる真似により当該携帯電話機に加わった力の方向を示す情報）、及びユーザの上記投げる真似により当該携帯電話機に加わった力の強度を上記逓倍処理した値に基づいて算出された投擲距離を示す情報を、図４に示すように情報提供サーバ装置３２に送信するように、図１に示す通信回路２を通信制御する。
【００６３】
情報提供サーバ装置３２は、当該携帯電話機から現在位置情報，投擲方向を示す情報、及び投擲距離を示す情報を受信すると、情報データベース３３に記憶されている地図情報を参照することで、現在位置情報で示される当該携帯電話機の現在位置から、投擲方向を示す情報で示される投擲方向に対して、投擲距離を示す情報で示される投擲距離だけ離れた位置を、上記野球ボールの落下位置として検出する。そして、情報データベース３３に記憶されている各絶対位置に対応する上記対応情報の中から、上記野球ボールの落下位置となる絶対位置に対応する対応情報を検出し、この対応情報を、当該変形例の携帯電話機に送信する。
【００６４】
これに対して、上記ステップＳ２１において、ユーザにより上述の情報取得範囲の設定がなされているものと判別することで処理をステップＳ２５に進めると、制御部２０は、ＧＰＳユニット１６で検出された当該携帯電話機の現在位置情報、力方向／強度検出部１８で検出された、ユーザの上記投げる真似に対応する投擲方向を示す情報（＝ユーザの上記投げる真似により当該携帯電話機に加わった力の方向を示す情報）、ユーザの上記投げる真似により当該携帯電話機に加わった力の強度を上記逓倍処理した値に基づいて算出された投擲距離を示す情報と共に、ユーザにより設定された情報取得範囲を示す情報（＝上記落下位置を中心とした円の半径を示す値）を、図４に示すように情報提供サーバ装置３２に送信するように、図１に示す通信回路２を通信制御する。
【００６５】
情報提供サーバ装置３２は、当該携帯電話機から現在位置情報，投擲方向を示す情報、及び投擲距離を示す情報を受信すると、情報データベース３３に記憶されている地図情報を参照することで、現在位置情報で示される当該携帯電話機の現在位置から、投擲方向を示す情報で示される投擲方向に対して、投擲距離を示す情報で示される投擲距離だけ離れた位置を、上記野球ボールの落下位置として検出し、情報データベース３３に記憶されている各絶対位置に対応する上記対応情報の中から、上記野球ボールの落下位置となる絶対位置に対応する対応情報を検出する。
【００６６】
また、情報提供サーバ装置３２は、上記野球ボールの落下位置となる絶対位置を中心とする円の地理的範囲であり、ユーザにより設定された情報取得範囲を示す情報で示される半径を有する円の地理的範囲内の各絶対位置を検出し、この地理的範囲内の各絶対位置に対応する対応情報を、情報データベース３３から検出する。
【００６７】
そして、情報提供サーバ装置３２は、上記野球ボールの落下位置となる絶対位置に対応する対応情報、及び上記落下位置を中心とした、ユーザにより設定された情報取得範囲内の各絶対位置に対応する各対応情報を、当該変形例の携帯電話機に送信する。
【００６８】
図５のフローチャートのステップＳ２３では、制御部２０が、通信回路２を介して受信される情報を監視することで、上記情報提供サーバ装置３２から上記対応情報を受信したか否かを判別し、該情報提供サーバ装置３２から上記対応情報を受信したものと判別したタイミングで、処理をステップＳ２４に進める。
【００６９】
ステップＳ２４では、制御部２０が、情報提供サーバ装置３２から受信した対応情報を表示部５等を介して出力制御して、この図５のフローチャートに示す全処理を終了する。
【００７０】
この実施例の変形例となる携帯電話機の場合、上述の実施例の携帯電話機と同じ効果を得ることができるうえ、地図情報や各絶対位置に対応する各対応情報を記憶した情報データベースを、情報提供サーバ装置３２が有しているため、当該実施例の変形例となる携帯電話機のメモリ１９に、上記情報データベースを記憶しておく必要がなく、該メモリ１９の記憶容量を上記情報データベース分だけ少なくすることができる（＝メモリ１９として安価かつ少記憶領域のメモリを設けることを可能とすることができる。）。或いは、上記情報データベースを記憶しないことで生じたメモリ１９上の空き領域を、他のデータ処理や他のデータ記憶用等に有効に利用可能とすることができる。
【００７１】
この実施例の変形例となる携帯電話機は、当該携帯電話機側から情報提供サーバ装置３２に対して、上記対応情報の検出に必要な情報を送信するだけで、情報提供サーバ装置３２が対応情報を検出して送信してくれるため、当該携帯電話機側で行う対応情報の検出処理を省略することができ、この検出処理により制御部２０に掛かる負荷を軽減することができる。
【００７２】
［他の変形例］
上述の実施例及び実施例の変形例は、本発明を携帯電話機に適用した例であったが、本発明を、この携帯電話機の他、ＰＨＳ電話機（PHS：Personal Handyphone System）、ＰＤＡ装置（PDA：Personal Digital Assistant）、携帯ゲーム機等の他の携帯機器に適用してもよい。いずれの場合も上述と同様の効果を得ることができる。
【００７３】
最後に、上述の実施例は、本発明の一例である。このため、本発明は上述の実施例に限定されることはなく、本発明に係る技術的思想を逸脱しない範囲であれば、設計等に応じて種々の変更が可能であることは勿論であることを付け加えておく。
【符号の説明】
【００７４】
１  アンテナ、２  通信回路、３  スピーカ部、４  マイクロホン部、５  表示部、６  操作部、７  発光部、８  カメラ部、９  バイブレーションユニット、１０  タイマ、１１  非接触無線通信アンテナ、１２  非接触無線通信ユニット、１３  近距離無線通信アンテナ、１４  近距離無線通信ユニット、１５  ＧＰＳアンテナ、１６  ＧＰＳユニット、１７  赤外線通信ユニット、１８  力方向／強度検出部、１９  メモリ、２０  制御部、３０  ネットワーク、３１  基地局、３２  情報提供サーバ装置、３３  情報提供データベース
【図１】
2011059826.tif 000003
【図２】
2011059826.tif 000004
【図３】
2011059826.tif 000005
【図４】
2011059826.tif 000006
【図５】
2011059826.tif 000007